(57)【要約】      （修正有）【課題】作業者が仕分け作業の無いブロックを通過することを回避し、作業者の動線を短くして作業効率の向上が図られた仕分けシステムの提供。【解決手段】仕分けシステムは、仕分け場所１のそれぞれに個数表示器２０を備え、１群の仕分け場所１…１により１つのブロックＢ１が構成され、複数のブロックのそれぞれに入口操作部材１７を備える。切替手段１３は、複数のブロックの各ブロックをそれぞれ１つのブロックとして扱う第１モードと、全ブロックをまとめて１つのブロックとして扱う第２モードとを切り替える。表示制御手段１４は、第１モードのとき、各ブロックについて入口操作部材１７が操作されたときにそのブロックに属する個数表示器２０…２０の表示を開始させ、第２モードのとき、仕分け作業の準備段階の操作卓１３の操作時に全個数表示器２０…２０の表示を開始させる。【選択図】図２
2008024378.tif 000002
【特許請求の範囲】
【請求項１】
仕分け場所又は物品保管場所のそれぞれに仕分け個数を表示する個数表示器が備えられ、
１群の仕分け場所又は物品保管場所により１つのブロックが構成され、
複数のブロックのそれぞれに入口操作部材が備えられた仕分けシステムであって、
複数のブロックの各ブロックをそれぞれ１つのブロックとして扱う第１モードと、全ブロックをまとめて１つのブロックとして扱う第２モードとを切り替える切替手段と、
この切替手段により、第１モードに切り替えられたときは、各ブロックについて前記入口操作部材が操作されたときにそのブロックに属する個数表示器の表示を開始させ、第２モードに切り替えられたときには、仕分け作業の準備段階の操作卓の操作時に全個数表示器の表示を開始させる表示制御手段とを有することを特徴とする仕分けシステム。
【請求項２】
前記請求項１に記載の仕分けシステムであって、
複数のブロックのそれぞれに出口操作部材が備えられ、
前記表示制御手段は、前記切替手段により、第１モードに切り替えられたときは、各ブロックについて前記出口操作部材が操作されたときにそのブロックに属する個数表示器の表示を終了させ、第２モードに切り替えられたときには、最後の仕分け作業が完了したときに全個数表示器の表示を終了させることを特徴とする仕分けシステム。
【請求項３】
前記請求項１又は２に記載の仕分けシステムであって、
前記切替手段が切り替えるモードとして、全ブロックのうちの複数のブロックをまとめて１つのブロックとして扱う第３モードがさらに設けられ、
前記表示制御手段は、前記切替手段により、第３モードに切り替えられたときは、複数のブロックについて最初のブロックの入口操作部材が操作されたときにその複数のブロックに属する全ての個数表示器の表示を開始させることを特徴とする仕分けシステム。
【請求項４】
前記請求項３に記載の仕分けシステムであって、
複数のブロックのそれぞれに出口操作部材が備えられ、
前記表示制御手段は、前記切替手段により、第３モードに切り替えられたときは、複数のブロックについて最後のブロックの出口操作部材が操作されたときにその複数のブロックに属する全ての個数表示器の表示を終了させることを特徴とする仕分けシステム。
【請求項５】
前記請求項３又は４に記載の仕分けシステムであって、
前記切替手段は、第３モードのときは、仕分け作業が無いブロックを含めて複数のブロックを１つのブロックとして扱うことを特徴とする仕分けシステム。
【請求項６】
前記請求項３から５のいずれかに記載の仕分けシステムであって、
前記切替手段は、第３モードのときは、仕分け作業が入口近辺のみに有るブロックを含めて複数のブロックを１つのブロックとして扱うことを特徴とする仕分けシステム。
【請求項７】
前記請求項１から６のいずれかに記載の仕分けシステムであって、
各ブロックに、ブロック内で仕分け作業が有ることを報知する仕分け有り報知手段が備えられていることを特徴とする仕分けシステム。
【請求項８】
前記請求項１から７のいずれかに記載の仕分けシステムであって、
仕分け作業が有る最後のブロックを検出する最終ブロック検出手段と、
この最終ブロック検出手段により検出されたブロックより以降のブロックには仕分け作業が無いことを報知する仕分け無し報知手段とが備えられていることを特徴とする仕分けシステム。
【請求項９】
前記請求項８に記載の仕分けシステムであって、
前記仕分け無し報知手段は、前記最終ブロック検出手段により検出されたブロック内で最後の仕分け作業が完了したときに報知することを特徴とする仕分けシステム。
【請求項１０】
前記請求項８又は９に記載の仕分けシステムであって、
前記仕分け無し報知手段は、前記個数表示器の表示態様の変更及び音声の発生の少なくともいずれかにより報知することを特徴とする仕分けシステム。
【発明の詳細な説明】
【技術分野】
【０００１】
本発明は物流分野で用いられる仕分けシステムに関する。
【背景技術】
【０００２】
一般に、コンビニエンスストア等の物流センターでは、各店舗から注文のあった物品を注文のあった個数づつ各店舗毎に集める仕分け作業が行われる。このような仕分け作業を支援するシステムとして、物品を搬送しながらその物品を注文のあった店舗の仕分け場所に受注個数づつ収納していくソーティングシステムや、各店舗の仕分けコンテナを搬送しながらそのコンテナに注文のあった物品を受注個数づつ収納していくピッキングシステムが周知である。その場合、ソーティングシステムでは複数の仕分け場所のそれぞれに、ピッキングシステムでは複数の物品保管場所のそれぞれに、受注個数（仕分け個数）を表示するための個数表示器が配備される。そして、いずれの仕分けシステムにおいても、作業者の仕分け作業がブロックを単位に管理される場合がある（例えば特許文献１及び特許文献２を参照）。ここで、ブロックとは、物品又はコンテナの搬送通路に沿って設けた１群の仕分け場所又は１群の物品保管場所のことをいう。
【０００３】
【特許文献１】特開平６−１５６６４５号公報（図１、段落００１６）
【特許文献２】特許第２７９１７５５号明細書（図１、段落００１４）
【発明の開示】
【発明が解決しようとする課題】
【０００４】
前記のようにブロックを管理単位とした従来の仕分けシステムでは、概ね次のような動作が行われる。例えば、図２５に示すように、複数の仕分け場所又は物品保管場所（以下これらをまとめて「仕分け場所等」ということがある）ｃ…ｃを台車ｄの搬送通路を挟んで向かい合わせに並設して第１ブロックｂ１〜第４ブロックｂ４を構成する。各仕分け場所等ｃの前面に個数表示器ｇを備える。まず、作業者ａは、自己の仕分け作業の準備段階として、第１ブロックｂ１の手前で操作卓ｅを操作して、ソーティングの場合は、自己が搬送する台車ｄに載せてある物品が何であるかを入力し、ピッキングの場合には、自己が搬送する台車ｄに載せてあるコンテナがどの店舗のものであるかを入力する。そして、第１ブロックｂ１の前で待機し、ブロック入口に備えられた入口表示器ｆに自己の名前が表示されたときに、同じくブロック入口に備えられてある入口ボタン（図示せず）を押して第１ブロックｂ１の通路に進入する。前記入口ボタンを押すことにより第１ブロックｂ１の個数表示器ｇ…ｇに仕分け個数が表示されるので、ソーティングの場合は、表示のあった仕分け場所ｃに台車ｄの物品を表示個数だけ収納し、ピッキングの場合には、表示のあった物品保管場所ｃの物品を台車ｄのコンテナに表示個数だけ収納する。第１ブロックｂ１内で全ての仕分けが終了したら、作業者ａは、ブロック出口に出口表示器ｈと共に備えられてある出口ボタン（図示せず）を押して第１ブロックｂ１の通路から退出する。前記出口ボタンを押すことにより第１ブロックｂ１の個数表示器ｇ…ｇが全てリセットされるので、次の作業者ａが入口ボタンを押して第１ブロックｂ１に進入することができる。第１ブロックｂ１を出た作業者ａは、同様にして、第２ブロックｂ２、第３ブロックｂ３及び第４ブロックｂ４を通過し、次の新たな物品又は新たなコンテナを台車ｄに載せて再び操作卓ｅに戻る。
【０００５】
このように、従来の仕分けシステムでは、作業者ａは、第１ブロックｂ１から仕分け作業を開始し、第１ブロックｂ１が終われば第２ブロックｂ２に進み、第２ブロックｂ２が終われば第３ブロックｂ３に進み、…と経路が固定されていた。これは、仕分け作業を始める前の準備段階において操作卓ｅに物品又はコンテナの属性を入力すると、その物品又はコンテナに関する仕分け個数が第１ブロックｂ１から順に全てのブロックに伝送され、作業者ａは、入口ボタンを押すことでそのブロックでの個数表示を開始させ、出口ボタンを押すことでそのブロックでの個数表示を終了させるように動作が義務付けられているからである。これを怠ると、自己の仕分け作業のみならず、他人の仕分け作業の遂行にも支障を及ぼすことになる。
【０００６】
しかし、全ブロックｂ１〜ｂ４で個数表示器ｇ…ｇに仕分け個数が表示されればよいが、つまり全ブロックｂ１〜ｂ４で仕分け作業が有ればよいが、いずれの個数表示器ｇ…ｇも仕分け個数を表示しないブロックが有ると、つまり仕分け作業が無いブロックが有ると、そのブロックに関しては、作業者ａは、ただ入口ボタンや出口ボタンを押すためだけに、そのブロックを通過することとなって、徒に動線が長くなり、無駄に時間を費やして、作業効率が低下することとなる。例えば、図２５において、奥の方の第２ブロックｂ２や第３ブロックｂ３で仕分け作業が無い場合は、作業者ａは、第２ブロックｂ２の入口ボタンや出口ボタンあるいは第３ブロックｂ３の入口ボタンや出口ボタンを押すためだけに無駄に遠方まで移動しなければならなくなる。
【０００７】
また、たとえ個数表示器ｇ…ｇに仕分け個数が表示されても、入口近辺の個数表示器ｇ…ｇのみが仕分け個数を表示するブロックが有ると、つまり仕分け作業が入口近辺のみに有るブロックが有ると、そのブロックに関しても、作業者ａは、入口近辺で仕分け作業を行った後、ただ出口ボタンを押すためだけに、あるいは次のブロックの入口ボタンを押すためだけに、そのブロックを通過することとなって、やはり徒に動線が長くなり、無駄に時間を費やして、作業効率が低下することとなる。例えば、図２５において、第２ブロックｂ２で仕分け作業が入口近辺のみに有る場合は、作業者ａは、第２ブロックｂ２の出口ボタンや第３ブロックｂ３の入口ボタンを押すためだけに無駄に遠方まで移動しなければならなくなる。
【０００８】
本発明は、従来の仕分けシステムにおける前記のような不具合に対処するもので、作業者が仕分け作業の無いブロックを無駄に通過することを回避し、作業者の動線を短くして、作業効率の向上が図られた仕分けシステムの提供を課題とする。
【課題を解決するための手段】
【０００９】
前記課題を解決するため、本願の請求項１に記載の発明は、仕分け場所又は物品保管場所のそれぞれに仕分け個数を表示する個数表示器が備えられ、１群の仕分け場所又は物品保管場所により１つのブロックが構成され、複数のブロックのそれぞれに入口操作部材が備えられた仕分けシステムであって、複数のブロックの各ブロックをそれぞれ１つのブロックとして扱う第１モードと、全ブロックをまとめて１つのブロックとして扱う第２モードとを切り替える切替手段と、この切替手段により、第１モードに切り替えられたときは、各ブロックについて前記入口操作部材が操作されたときにそのブロックに属する個数表示器の表示を開始させ、第２モードに切り替えられたときには、仕分け作業の準備段階の操作卓の操作時に全個数表示器の表示を開始させる表示制御手段とを有することを特徴とする。
【００１０】
次に、請求項２に記載の発明は、前記請求項１に記載の仕分けシステムであって、複数のブロックのそれぞれに出口操作部材が備えられ、前記表示制御手段は、前記切替手段により、第１モードに切り替えられたときは、各ブロックについて前記出口操作部材が操作されたときにそのブロックに属する個数表示器の表示を終了させ、第２モードに切り替えられたときには、最後の仕分け作業が完了したときに全個数表示器の表示を終了させることを特徴とする。
【００１１】
次に、請求項３に記載の発明は、前記請求項１又は２に記載の仕分けシステムであって、前記切替手段が切り替えるモードとして、全ブロックのうちの複数のブロックをまとめて１つのブロックとして扱う第３モードがさらに設けられ、前記表示制御手段は、前記切替手段により、第３モードに切り替えられたときは、複数のブロックについて最初のブロックの入口操作部材が操作されたときにその複数のブロックに属する全ての個数表示器の表示を開始させることを特徴とする。
【００１２】
次に、請求項４に記載の発明は、前記請求項３に記載の仕分けシステムであって、複数のブロックのそれぞれに出口操作部材が備えられ、前記表示制御手段は、前記切替手段により、第３モードに切り替えられたときは、複数のブロックについて最後のブロックの出口操作部材が操作されたときにその複数のブロックに属する全ての個数表示器の表示を終了させることを特徴とする。
【００１３】
次に、請求項５に記載の発明は、前記請求項３又は４に記載の仕分けシステムであって、前記切替手段は、第３モードのときは、仕分け作業が無いブロックを含めて複数のブロックを１つのブロックとして扱うことを特徴とする。
【００１４】
次に、請求項６に記載の発明は、前記請求項３から５のいずれかに記載の仕分けシステムであって、前記切替手段は、第３モードのときは、仕分け作業が入口近辺のみに有るブロックを含めて複数のブロックを１つのブロックとして扱うことを特徴とする。
【００１５】
次に、請求項７に記載の発明は、前記請求項１から６のいずれかに記載の仕分けシステムであって、各ブロックに、ブロック内で仕分け作業が有ることを報知する仕分け有り報知手段が備えられていることを特徴とする。
【００１６】
次に、請求項８に記載の発明は、前記請求項１から７のいずれかに記載の仕分けシステムであって、仕分け作業が有る最後のブロックを検出する最終ブロック検出手段と、この最終ブロック検出手段により検出されたブロックより以降のブロックには仕分け作業が無いことを報知する仕分け無し報知手段とが備えられていることを特徴とする。
【００１７】
次に、請求項９に記載の発明は、前記請求項８に記載の仕分けシステムであって、前記仕分け無し報知手段は、前記最終ブロック検出手段により検出されたブロック内で最後の仕分け作業が完了したときに報知することを特徴とする。
【００１８】
そして、請求項１０に記載の発明は、前記請求項８又は９に記載の仕分けシステムであって、前記仕分け無し報知手段は、前記個数表示器の表示態様の変更及び音声の発生の少なくともいずれかにより報知することを特徴とする。
【発明の効果】
【００１９】
まず、請求項１に記載の発明によれば、ソーティングの場合の仕分け場所又はピッキングの場合の物品保管場所のそれぞれに仕分け個数を表示する個数表示器が備えられ、１群の仕分け場所又は物品保管場所により１つのブロックが構成され、複数のブロックのそれぞれに入口操作部材が備えられた仕分けシステムにおいて、複数のブロックの各ブロックをそれぞれ１つのブロックとして扱う第１モードと、全ブロックをまとめて１つのブロックとして扱う第２モードとを切り替える切替手段と、この切替手段により、第１モードに切り替えられたときは、各ブロックについて入口操作部材が操作されたときにそのブロックに属する個数表示器の表示を開始させ、第２モードに切り替えられたときには、仕分け作業の準備段階の操作卓の操作時に全個数表示器の表示を開始させる表示制御手段とを備えたから、第１モードに切り替えたときは、複数のブロックの各ブロック毎に入口操作部材を操作して、そのブロックの個数表示器に仕分け個数を表示させることになるが、第２モードに切り替えたときには、仕分け作業を始める前の準備段階において操作卓を操作するだけで、全ブロックの全個数表示器に仕分け個数を表示させることが可能となる。その結果、作業者は、個数表示器に仕分け個数を表示させるために入口操作部材を操作する必要が無くなり、まずこの点で作業効率の向上が図られる。
【００２０】
そのうえで、第２モードに切り替えたときに、全ブロックの中に仕分け作業が無いブロックが有れば、そのブロックに属する個数表示器には仕分け個数が表示されないから、仕分け作業の準備段階において操作卓を操作した段階で、仕分け作業が無いブロックか否かが判明し、作業者は、１つ１つブロックの入口操作部材を操作するためだけに無駄に遠方まで移動する必要が無くなる。その結果、作業者は、仕分け作業の有るブロックだけを最短距離で通過して戻ってくることができ、作業者の動線が徒に長くならず、無駄な時間が費やされず、作業効率の向上が図られることとなる。
【００２１】
また、第２モードに切り替えたときに、全ブロックの中に仕分け作業が入口近辺のみに有るブロックが有れば、そのブロックに属する入口近辺の個数表示器のみに仕分け個数が表示されるから、仕分け作業の準備段階において操作卓を操作した段階で、仕分け作業が入口近辺のみに有るブロックか否かが判明し、作業者は、入口近辺で仕分け作業を行った後、次のブロックの入口操作部材を操作するためだけに無駄に遠方まで移動する必要が無くなる。その結果、作業者は、仕分け作業が有るブロックの入口近辺のみに立ち寄ってすぐ戻ってくることができ、この場合も、やはり作業者の動線が徒に長くならず、無駄な時間が費やされず、作業効率の向上が図られることとなる。
【００２２】
次に、請求項２に記載の発明によれば、前記入口操作部材に加えて、複数のブロックのそれぞれに出口操作部材を備え、第１モードに切り替えられたときは、各ブロックについて出口操作部材が操作されたときにそのブロックに属する個数表示器の表示を終了させ、第２モードに切り替えられたときには、最後の仕分け作業が完了したときに全個数表示器の表示を終了させるようにしたから、第１モードに切り替えたときは、複数のブロックの各ブロック毎に出口操作部材を操作して、そのブロックの個数表示器の個数表示を消去させることになるが、第２モードに切り替えたときには、最後の仕分け作業を完了させるだけで、全ブロックの全個数表示器の個数表示を消去させることが可能となる。その結果、作業者は、個数表示器の個数表示を消去させるために出口操作部材を操作する必要が無くなり、まずこの点で作業効率の向上が図られる。
【００２３】
そのうえで、第２モードに切り替えたときに、全ブロックの中に仕分け作業が無いブロックが有れば、また仕分け作業が入口近辺のみに有るブロックが有れば、作業者は、それらのブロックの出口操作部材を操作するためだけに無駄に遠方まで移動する必要が無くなり、作業者の動線が徒に長くならず、無駄な時間が費やされず、作業効率の向上が図られることとなる。
【００２４】
次に、請求項３に記載の発明によれば、前記切替手段が切り替えるモードとして、全ブロックのうちの複数のブロックをまとめて１つのブロックとして扱う第３モードが追加され、前記切替手段により、第３モードに切り替えられたときは、複数のブロックについて最初のブロックの入口操作部材が操作されたときにその複数のブロックに属する全ての個数表示器の表示を開始させるようにしたから、第３モードに切り替えたときには、いちいち各ブロック毎に入口操作部材を操作しなくても、複数のブロックのうちの最初のブロックの入口操作部材を操作するだけで、その複数のブロックの全個数表示器に仕分け個数を表示させることが可能となる。
【００２５】
そのうえで、第３モードに切り替えたときに、複数のブロックの中に仕分け作業が無いブロックが有れば、そのブロックに属する個数表示器には仕分け個数が表示されないから、最初のブロックの入口操作部材を操作した段階で、仕分け作業が無いブロックか否かが判明し、作業者は、１つ１つブロックの入口操作部材を操作するためだけに無駄に遠方まで移動する必要が無くなる。その結果、作業者は、仕分け作業の有るブロックだけを最短距離で通過して戻ってくることができ、作業者の動線が徒に長くならず、無駄な時間が費やされず、作業効率の向上が図られることとなる。
【００２６】
また、第３モードに切り替えたときに、複数のブロックの中に仕分け作業が入口近辺のみに有るブロックが有れば、そのブロックに属する入口近辺の個数表示器のみに仕分け個数が表示されるから、最初のブロックの入口操作部材を操作した段階で、仕分け作業が入口近辺のみに有るブロックか否かが判明し、作業者は、入口近辺で仕分け作業を行った後、次のブロックの入口操作部材を操作するためだけに無駄に遠方まで移動する必要が無くなる。その結果、作業者は、仕分け作業が有るブロックの入口近辺のみに立ち寄ってすぐ戻ってくることができ、この場合も、やはり作業者の動線が徒に長くならず、無駄な時間が費やされず、作業効率の向上が図られることとなる。
【００２７】
次に、請求項４に記載の発明によれば、前記入口操作部材に加えて、複数のブロックのそれぞれに出口操作部材を備え、第３モードに切り替えられたときは、複数のブロックについて最後のブロックの出口操作部材が操作されたときにその複数のブロックに属する全ての個数表示器の表示を終了させるようにしたから、第３モードに切り替えたときには、いちいち各ブロック毎に出口操作部材を操作しなくても、複数のブロックのうちの最後のブロックの出口操作部材を操作するだけで、その複数のブロックの全個数表示器の個数表示を消去させることが可能となる。したがって、複数のブロックの中に仕分け作業が無いブロックが有れば、また仕分け作業が入口近辺のみに有るブロックが有れば、作業者は、それらのブロックの出口操作部材を操作するためだけに無駄に遠方まで移動する必要が無くなり、より一層の作業効率の向上が図られることとなる。
【００２８】
次に、請求項５に記載の発明によれば、前記切替手段は、第３モードのときは、仕分け作業が無いブロックを含めて複数のブロックを１つのブロックとして扱うから、前記請求項３に記載の発明の効果のうち、複数のブロックの中に仕分け作業が無いブロックが有る場合の効果が確実に得られることとなる。
【００２９】
次に、請求項６に記載の発明によれば、前記切替手段は、第３モードのときは、仕分け作業が入口近辺のみに有るブロックを含めて複数のブロックを１つのブロックとして扱うから、前記請求項３に記載の発明の効果のうち、複数のブロックの中に仕分け作業が入口近辺のみに有るブロックが有る場合の効果が確実に得られることとなる。
【００３０】
次に、請求項７に記載の発明によれば、ブロック内で仕分け作業が有ることを報知する仕分け有り報知手段を各ブロックに備えたから、作業者は、ブロックの個数表示器に仕分け個数が表示されているか否かを１つ１つ確認することなく、この仕分け有り報知手段によって、仕分け作業が有るブロックを瞬時に確実・容易に判別することができる。
【００３１】
次に、請求項８に記載の発明によれば、仕分け作業が有る最後のブロックを検出する最終ブロック検出手段と、この最終ブロック検出手段により検出されたブロックより以降のブロックには仕分け作業が無いことを報知する仕分け無し報知手段とを備えたから、作業者は、この仕分け無し報知手段によって、仕分け作業が無いブロックに無駄に移動することが回避される。その結果、作業者は、仕分け作業が無いブロックを無駄に通過することなく、最短距離で速やかに戻ってくることができ、これによっても、作業者の動線が徒に長くならず、無駄な時間が費やされず、作業効率の向上が図られることとなる。
【００３２】
次に、請求項９に記載の発明によれば、仕分け無し報知手段は、最終ブロック検出手段により検出されたブロック内で最後の仕分け作業が完了したときに報知するようにしたから、作業者は、ブロック内での最後の仕分け作業の完了と同時に、適正なタイミングで、このブロックより以降のブロックには仕分け作業が無いこと、すなわちこのブロックが仕分け作業が有る最後のブロックであることを認識することができる。
【００３３】
そして、請求項１０に記載の発明によれば、このブロックより以降のブロックには仕分け作業が無いことの報知を、個数表示器の表示態様の変更、音声の発生、又は個数表示器の表示態様の変更と音声の発生との組合せのいずれかにより行うようにしたので、作業者は、確実・容易に、このブロックが仕分け作業が有る最後のブロックであることを認識することができる。
【発明を実施するための最良の形態】
【００３４】
以下、最良の実施形態を通して本発明をさらに詳しく説明する。本実施形態においては、本発明の仕分けシステムは、図１に示すソーティングシステムに適用されている。図示したように、作業現場は４つのブロックＢ１〜Ｂ４に区切られている。各ブロックＢ１〜Ｂ４には台車２の搬送通路を挟んで向かい合う２つのゾーンＺ１，Ｚ２〜Ｚ７，Ｚ８が設けられている。各ゾーンＺ１〜Ｚ８は多数の仕分け棚１…１で構成されている。仕分け棚１は、特許請求の範囲にいう「仕分け場所」に相当する。第１ブロックＢ１の手前には操作卓１３が備えられ、各ブロックＢ１〜Ｂ４には表示コントローラ１４…１４が備えられている。また、各ブロックＢ１〜Ｂ４の入口及び出口には、作業者ＡがブロックＢ１〜Ｂ４への進入時及びブロックＢ１〜Ｂ４からの退出時に押下操作する入口ボタン１７…１７及び出口ボタン１８…１８が備えられている。また、各ゾーンＺ１〜Ｚ８には、ゾーンＺ１〜Ｚ８内ひいてはブロックＢ１〜Ｂ４内で仕分け作業が有るときに点灯してそのことを報知するゾーンランプ１９…１９が備えられている。作業者Ａは、最も一般的には（後述する第１モードでは）、台車２を押して物品を搬送しながら、矢印で示すように第１ブロックＢ１から第４ブロックＢ４まで順に通過して帰還することになる。
【００３５】
図２に第１ブロックＢ１を例にして示すように、各ブロックＢ１〜Ｂ４の入口及び出口には入口表示器１５及び出口表示器１６が配設され、各仕分け棚１の前面には個数表示器２０が配設されている。また、各仕分け棚１には仕分けコンテナ２１…２１が設置され、台車２には物品コンテナ２２…２２が設置されている。なお、図例では、簡単のため、仕分け棚１…１は一段であるが、二段以上組み上げてもよい。
【００３６】
操作卓１３は、タッチパネルやキーボードやバーコードスキャナ等の入力装置と、ディスプレイ（符号１３ａ：図７参照）やプリンタ等の出力装置とを有している。作業者Ａは、作業を開始する前に操作卓１３を操作して、自己の名前や自己の担当物品を入力する。表示コントローラ１４は、入口ボタン１７及び出口ボタン１８の押下操作信号を入力すると共に、入口表示器１５、出口表示器１６、ゾーンランプ１９，１９及び個数表示器２０…２０の動作を管理する。本実施形態では、各ブロックＢ１〜Ｂ４には１人の作業者しか進入できず、入口表示器１５及び出口表示器１６は、仕分け作業の順番が到来した作業者の名前を表示する。そして、入口表示器１５及び出口表示器１６に名前が表示された作業者ＡがブロックＢ１〜Ｂ４への進入時に入口ボタン１７…１７を押下操作し、ブロックＢ１〜Ｂ４からの退出時に出口ボタン１８…１８を押下操作する。なお、個数表示器２０についてはさらに後述する（図４〜図６）。
【００３７】
仕分けコンテナ２１は、各店舗毎に出荷する物品を収容するためのコンテナである。この仕分けコンテナ２１が設置される仕分け棚１と店舗とは１対１に対応付けられている。物品コンテナ２２は、前記仕分けコンテナ２１に仕分けする物品を収容しているコンテナである。図例では、仕分け棚１に複数の仕分けコンテナ２１…２１が積み上げられ、また台車２に複数の物品コンテナ２２…２２が積み上げられている。ただし、コンテナ２１，２２の数と店舗の数又は物品の数とは関係が無い。
【００３８】
図３に示すように、操作卓１３の上位には仕分けコンピュータ１１が中継器１２を介して接続されている。ここで、図３に操作卓１３を複数示したのは、図１に示したような仕分け作業現場が複数あることを示している。操作卓１３の下位にはブロックＢ１〜Ｂ４毎の４つの表示コントローラ１４…１４が接続されている。そして、各表示コントローラ１４の下位には入口表示器１５、出口表示器１６、入口ボタン１７、出口ボタン１８、ゾーンランプ１９及び個数表示器２０…２０が接続されている。これらの機器１１〜２０は相互に情報の通信が可能な適宜の情報通信ネットワーク３０を介して接続されている。
【００３９】
図４に個数表示器２０の外観構成を示す。個数表示器２０は表示部２０ａと完了ボタン２０ｂとを備えている。表示部２０ａは、６桁のデジタル表示が可能である。完了ボタン２０ｂは、表示部２０ａに表示された仕分け情報（仕分け物品や仕分け個数あるいはこれらの組合せをいう）に従って仕分け作業を行った後、作業者Ａが押下操作するものである。完了ボタン２０ｂの押下操作信号は表示コントローラ１４に送信され、表示部２０ａの表示を次の表示に切り換えるトリガーになる。
【００４０】
例えば図５に示すように、表示部２０ａに「１」と「１０」とがハイフンを挟んで表示されたときは、それは、仕分け物品が「第１物品」であり、仕分け個数が「１０個」であることを示している。このように、この個数表示器２０は、仕分け物品と仕分け個数と（仕分け情報）を１組だけ表示するように構成されており、比較的安価なものである。また、１つの仕分け棚１で仕分け作業が終了したときは、図６に示すように、その仕分け棚１での仕分け作業が終了したことを示す「Ｅｎｄ」（仕分け作業終了情報）が表示部２０ａに表示される。
【００４１】
次に、図７に操作卓１３のディスプレイ１３ａの表示例を示す。ここで図示したのはモード切替画面の表示例である。すなわち、この仕分けシステムでは、ブロックＢ１〜Ｂ４の取扱いについて第１モードと第２モードと第３モードとが切替可能になっており、そのモードの切替えがこの操作卓１３のタッチパネル式のディスプレイ１３ａで行えるようになっているのである。
【００４２】
第１モードに切り替えると、４つのブロックＢ１〜Ｂ４のそれぞれが個々に独立した１つのブロックとして取り扱われる（基本形）。第２モードに切り替えると、４つのブロックＢ１〜Ｂ４が全てまとめられて単一ブロック（符号ｉを付す：図１３〜図１５及び図２０（ｂ）参照）として取り扱われる。第３モードに切り替えると、４つのブロックＢ１〜Ｂ４のうちの任意の複数のブロックがまとめられて１つの合体ブロック（符号ｉｉを付す：図１７〜図１９、図２０（ｃ）及び図２４参照）として取り扱われる。
【００４３】
そして、第１モードでは、各ブロックＢ１〜Ｂ４において、入口ボタン１７…１７及び出口ボタン１８…１８が機能し、各ブロックＢ１〜Ｂ４を単位として、入口表示器１５、出口表示器１６、ゾーンランプ１９，１９及び個数表示器２０…２０の動作が管理される。また、第２モードでは、全ブロックＢ１〜Ｂ４において（つまり単一ブロックｉにおいて）、入口ボタン１７…１７及び出口ボタン１８…１８が機能しなくなり、単一ブロックｉを単位として、入口表示器１５…１５、出口表示器１６…１６、ゾーンランプ１９…１９及び個数表示器２０…２０の動作が一斉に管理される。また、第３モードでは、任意の複数ブロックにおいて（つまり合体ブロックｉｉにおいて）、最初の入口ボタン１７及び最後の出口ボタン１８のみが機能し、合体ブロックｉｉを単位として、入口表示器１５…１５、出口表示器１６…１６、ゾーンランプ１９…１９及び個数表示器２０…２０の動作が一斉に管理される。
【００４４】
以下、フローチャートを参照して、この仕分けシステムの具体的動作を説明する。なお、簡単のため、作業者Ａの担当物品は１種類のみとする。まず、図８は、第１モードでの動作例である。作業者Ａは、仕分け作業の準備段階として、操作卓１３を操作し、自己が担当する物品及び自己の名前を入力すると共に、前記図７のモード切替画面にてモードを切り替える（ステップＳ１１）−ここでは第１モードに切り替える。すると、操作卓１３は、上位の仕分けコンピュータ１１に照会して、入力された物品の仕分け情報を取得し、それを下位の表示コントローラ１４に送信する（ステップＳ１２）。
【００４５】
各表示コントローラ１４、つまり、第１、第２、第３、第４ブロックＢ１，Ｂ２，Ｂ３，Ｂ４の各表示コントローラ１４は、物品の仕分け情報を受信すると、それを作業者Ａの名前と共に順に溜めおき、その作業者Ａの順番が到来したときに、入口表示器１５及び出口表示器１６にその作業者Ａの名前を表示する（ステップＳ１３）。作業者Ａは、各ブロックＢ１〜Ｂ４（最初は第１ブロックＢ１）の入口表示器１５及び出口表示器１６に自己の名前が表示されると、そのブロックＢ１〜Ｂ４の入口ボタン１７を操作してブロックＢ１〜Ｂ４内に進入する（ステップＳ１４）。
【００４６】
各表示コントローラ１４は、入口ボタン１７の操作信号を受信すると、その作業者Ａの担当物品の仕分け情報に基いて、注文のあった店舗の仕分け棚１の個数表示器２０の表示部２０ａに物品の表示とその受注個数の表示とを行う（ステップＳ１５：図５参照）。また、ゾーンランプ１９の点灯・非点灯も管理する。作業者Ａは、個数表示器２０の表示を参照して物品の仕分けを行い、完了ボタン２０ｂを押す（ステップＳ１６）。表示コントローラ１４は、完了ボタン２０ｂの押下操作信号を受信すると、物品の表示及び受注個数の表示を消去した後、代わりに仕分け作業が終了したことを示す「Ｅｎｄ」（仕分け作業終了情報）を表示部２０ａに表示する（図６参照）。
【００４７】
このようにして、作業者Ａは、個数表示器２０に仕分け情報が表示された全ての仕分け棚１で仕分けを行い、１つのブロック内で全ての仕分け作業が済むと、出口ボタン１８を操作してブロックから退出し、次のブロックへ進む（ステップＳ１７）。各表示コントローラ１４は、出口ボタン１８の操作信号を受信すると、ブロック内の全ての「Ｅｎｄ」表示を消去し（併せてゾーンランプ１９を消灯し）、次の作業者Ａの名前を入口表示器１５及び出口表示器１６に表示する（ステップＳ１８，Ｓ１３）。
【００４８】
このような第１モードで得られる作用を図９〜図１１を参照して説明する。まず、図９は、仕分け作業が全ブロックＢ１〜Ｂ４で有る場合である。ここで、図中、斜線を施した仕分け棚１は、仕分け作業が有る仕分け棚１、つまり個数表示器２０が仕分け情報を表示している仕分け棚１を示し、黒で表示した入口ボタン１７及び出口ボタン１８は、作業者Ａが操作すべき入口ボタン１７及び出口ボタン１８を示し、黒で表示したゾーンランプ１９は、点灯しているゾーンランプ１９を示す（図１０、図１１、図１３〜図１５、図１７〜図１９において同じ）。
【００４９】
仕分け作業が全ブロックＢ１〜Ｂ４で有る場合は、基本動作通り、作業者Ａは、第１ブロックＢ１、第２ブロックＢ２、第３ブロックＢ３及び第４ブロックＢ４と順に全てのブロックを通過する。作業者Ａは、各ブロックＢ１〜Ｂ４への進入時に入口ボタン１７を押下操作し（ステップＳ１４）、各ブロックＢ１〜Ｂ４からの退出時に出口ボタン１８を押下操作する（ステップＳ１７）。入口ボタン１７の押下操作により、ブロックＢ１〜Ｂ４内のゾーンランプ１９，１９及び個数表示器２０…２０が作動し（ステップＳ１５）、出口ボタン１８の押下操作により、ブロックＢ１〜Ｂ４内の個数表示器２０…２０がリセットされる（ステップＳ１８）。作業者Ａが全ブロックＢ１〜Ｂ４を通過してもそれは無駄な動きではなく、それよりも、先の作業者Ａがブロックから退出した時点で（ステップＳ１７）、次の作業者Ａがそのブロックに進入できる（ステップＳ１８）という利点がある。
【００５０】
一方、図１０は、仕分け作業が無いブロックが有る場合である。図例では、第２ブロックＢ２と第３ブロックＢ３とで仕分け作業が無いことになっている（第２モードの図１４及び第３モードの図１８において同じ）。この場合、作業者Ａは、本来、第１ブロックＢ１と第４ブロックＢ４とを通過するだけでよく、第２ブロックＢ２と第３ブロックＢ３とを通過することは、徒に動線が長くなり、無駄に時間を費やして、作業効率を低下させることになる。しかし、第１モードでは、作業者Ａは、仕分け作業が無い第２ブロックＢ２及び第３ブロックＢ３においても、入口ボタン１７及び出口ボタン１８を押下操作することが義務付けられている（ステップＳ１４，Ｓ１７，Ｓ１８）。また、実際のところ、作業者Ａは、入口ボタン１７を押して（ステップＳ１４）ブロック内のゾーンランプ１９，１９及び個数表示器２０…２０を作動させないことには（ステップＳ１５）、そのブロック内で仕分け作業が有るのか無いのかが判らない。したがって、作業者Ａは、結果的に、全てのブロックＢ１〜Ｂ４を１つ１つ巡り歩いて入口ボタン１７を押すことになる。また、次の作業者Ａのためにも、全てのブロックＢ１〜Ｂ４において出口ボタン１８を押して、ブロックＢ１〜Ｂ４内の個数表示器２０…２０をリセットしなければならないことになる（ステップＳ１８）。
【００５１】
次に、図１１は、仕分け作業が入口近辺のみに有るブロックが有る場合である。図例では、第２ブロックＢ２で仕分け作業が入口近辺のみに有り、また第３ブロックＢ３では仕分け作業が無いことになっている（第２モードの図１５及び第３モードの図１９において同じ）。この場合、作業者Ａは、本来、第１ブロックＢ１を通過した後、第２ブロックＢ２の入口近辺のみに立ち寄り、その後すぐに第４ブロックＢ４に進入すればよく、第２ブロックＢ２と第３ブロックＢ３とを通過することは、徒に動線が長くなり、無駄に時間を費やして、作業効率を低下させることになる。しかし、前述したように、第１モードでは、作業者Ａは、仕分け作業が入口近辺のみに有る第２ブロックＢ２や仕分け作業が無い第３ブロックＢ３においても、入口ボタン１７及び出口ボタン１８を押下操作することが義務付けられているから（ステップＳ１４，Ｓ１７，Ｓ１８）、作業者Ａは、結果的に、全てのブロックＢ１〜Ｂ４を１つ１つ巡り歩かねばならないことになる。
【００５２】
以上のことから、第１モードは、仕分け作業が全ブロックＢ１〜Ｂ４で有る場合に切り替えることが好ましく、仕分け作業が無いブロックが有る場合や、仕分け作業が入口近辺のみに有るブロックが有る場合には、第１モードは適切ではないといえる。
【００５３】
次に、図１２は、第２モードでの動作例である。ステップＳ２１，Ｓ２２は、第１モードでのステップＳ１１，Ｓ１２と同様であるので、ここではその説明は省略する（ただし、ステップＳ２１では、前記図７のモード切替画面にて第２モードに切り替える）。ステップＳ２２の後、単一ブロック（ｉ）の全表示コントローラ１４…１４、つまり、第１、第２、第３、第４ブロックＢ１，Ｂ２，Ｂ３，Ｂ４の表示コントローラ１４…１４は、物品の仕分け情報を受信すると、それを作業者Ａの名前と共に順に溜めおき、その作業者Ａの順番が到来したときに、入口表示器１５…１５及び出口表示器１６…１６にその作業者Ａの名前を一斉に表示する（ステップＳ２３）。さらに、全表示コントローラ１４…１４は、その作業者Ａの担当物品の仕分け情報に基いて、注文のあった店舗の仕分け棚１の個数表示器２０の表示部２０ａに物品の表示とその受注個数の表示とを一斉に行う（ステップＳ２４：図５参照）。また、単一ブロック（ｉ）内の全ゾーンランプ１９…１９の点灯・非点灯も一斉に管理する。
【００５４】
一方、作業者Ａは、全ブロックＢ１〜Ｂ４の入口表示器１５…１５及び出口表示器１６…１６に自己の名前が表示されると、入口ボタン１７の操作等を行うことなく、そのまま単一ブロック（ｉ）内に進入する（ステップＳ２５）。すると、単一ブロック（ｉ）内の該当する全ての個数表示器２０は物品の表示とその受注個数の表示とを一斉に行っているから、作業者Ａは、その表示を参照して物品の仕分けを行い、完了ボタン２０ｂを押す（ステップＳ２６）。表示コントローラ１４…１４は、完了ボタン２０ｂの押下操作信号を受信すると、物品の表示及び受注個数の表示を消去した後、代わりに仕分け作業が終了したことを示す「Ｅｎｄ」（仕分け作業終了情報）を表示部２０ａに表示する（図６参照）。
【００５５】
このようにして、作業者Ａは、個数表示器２０に仕分け情報が表示された全ての仕分け棚１で仕分けを行い、単一ブロック（ｉ）内で全ての仕分け作業が済むと、出口ボタン１８の操作等を行うことなく、そのまま単一ブロック（ｉ）から退出する（ステップＳ２７）。全表示コントローラ１４…１４は、最後の完了ボタン２０ｂの押下操作信号を受信すると、単一ブロック（ｉ）内の全ての「Ｅｎｄ」表示を一斉に消去し（併せて単一ブロック（ｉ）内の全てのゾーンランプ１９…１９を一斉に消灯し）、次の作業者Ａの名前を入口表示器１５…１５及び出口表示器１６…１６に一斉に表示する（ステップＳ２８，Ｓ２３）。
【００５６】
このような第２モードで得られる作用を図１３〜図１５を参照して説明する。まず、図１３は、仕分け作業が全ブロックＢ１〜Ｂ４で有る場合である。この第２モードでは、４つのブロックＢ１〜Ｂ４が全てまとめられて単一ブロック（ｉ）として取り扱われ、また、単一ブロック（ｉ）において、入口ボタン１７…１７及び出口ボタン１８…１８が機能しなくなり、単一ブロック（ｉ）を単位として、入口表示器１５…１５、出口表示器１６…１６、ゾーンランプ１９…１９及び個数表示器２０…２０の動作が一斉に管理される。具体的には、単一ブロック（ｉ）の全個数表示器２０…２０は、仕分け作業の準備として操作卓１３が操作された段階で（ステップＳ２１）、仕分け情報を一斉に表示する（ステップＳ２４）。また、最後の完了ボタン２０ｂが操作された段階で（ステップＳ２７）、仕分け作業終了情報を一斉に消去する（ステップＳ２８）。したがって、作業者Ａは、入口ボタン１７…１７及び出口ボタン１８…１８を１つ１つ操作する必要が無くなり、どの位置からでも（例えば第４ブロックＢ４の出口からでも）単一ブロック（ｉ）に進入することが可能となり、また、どの位置からでも（例えば第１ブロックＢ１の入口からでも）単一ブロック（ｉ）から退出することが可能となる。しかし、仕分け作業が全ブロックＢ１〜Ｂ４で有るから、作業者Ａは、結局、全ブロックＢ１〜Ｂ４を巡り歩くことになり、作業者Ａの動線は、第１モードのときと比べてそれほど短くならない。
【００５７】
一方、図１４は、仕分け作業が無いブロックが有る場合である。作業者Ａは、入口ボタン１７…１７及び出口ボタン１８…１８を操作する必要が無く、どの位置からでも単一ブロック（ｉ）に進入でき、どの位置からでも単一ブロック（ｉ）から退出できる。かつ、単一ブロック（ｉ）内の該当する全てのゾーンランプ１９…１９及び該当する全ての個数表示器２０…２０がすでに作動しており、どのブロックＢ１〜Ｂ４内で仕分け作業が有るのか無いのかが判明している。よって、作業者Ａは、図例の場合、第１ブロックＢ１及び第４ブロックＢ４のみ通過すればよく、第２ブロックＢ２及び第３ブロックＢ３を通過せずに済む。その結果、作業者Ａの動線が短縮され、時間の浪費が無くなって、作業効率が向上する。
【００５８】
また、図１５は、仕分け作業が入口近辺のみに有るブロックが有る場合である。同様に、作業者Ａは、入口ボタン１７…１７及び出口ボタン１８…１８を操作する必要が無く、どの位置から単一ブロック（ｉ）に進入しても、また、どの位置から単一ブロック（ｉ）から退出してもよい。また、単一ブロック（ｉ）内の該当する全てのゾーンランプ１９…１９及び該当する全ての個数表示器２０…２０がすでに作動していて、どのブロックＢ１〜Ｂ４のどの仕分け棚１で仕分け作業が有るのかが判明している。よって、作業者Ａは、図例の場合、第１ブロックＢ１を通過した後、第２ブロックＢ２の入口近辺のみに立ち寄り、その後すぐに第４ブロックＢ４に進入して、単一ブロック（ｉ）から出ればよく、第２ブロックＢ２及び第３ブロックＢ３を通過せずに済む。その結果、作業者Ａの動線が短縮され、時間の浪費が無くなって、作業効率が向上する。
【００５９】
以上のことから、第２モードは、仕分け作業が無いブロックが有る場合や、仕分け作業が入口近辺のみに有るブロックが有る場合に切り替えることが好ましく、仕分け作業が全ブロックＢ１〜Ｂ４で有る場合には、第２モードはあまり有効ではないといえる。
【００６０】
次に、図１６は、第３モードでの動作例である。ステップＳ３１，Ｓ３２は、第１モードでのステップＳ１１，Ｓ１２と同様であるので、ここではその説明は省略する（ただし、ステップＳ３１では、前記図７のモード切替画面にて第３モードに切り替える）。以下、合体ブロック（ｉｉ）の動作を中心に説明する。ステップＳ３２の後、合体ブロック（ｉｉ）の各表示コントローラ、つまり、４つのブロックＢ１〜Ｂ４のうちの任意の複数のブロックの表示コントローラ１４…１４は、物品の仕分け情報を受信すると、それを作業者Ａの名前と共に順に溜めおき、その作業者Ａの順番が到来したときに、入口表示器１５…１５及び出口表示器１６…１６にその作業者Ａの名前を一斉に表示する（ステップＳ３３）。作業者Ａは、合体ブロック（ｉｉ）の入口表示器１５…１５及び出口表示器１６…１６に自己の名前が表示されると、合体ブロック（ｉｉ）の最初の入口ボタン１７を操作して合体ブロック（ｉｉ）内に進入する（ステップＳ３４）。
【００６１】
合体ブロック（ｉｉ）の各表示コントローラ１４…１４は、最初の入口ボタン１７の操作信号を受信すると、その作業者Ａの担当物品の仕分け情報に基いて、注文のあった店舗の仕分け棚１の個数表示器２０の表示部２０ａに物品の表示とその受注個数の表示とを一斉に行う（ステップＳ３５：図５参照）。また、合体ブロック（ｉｉ）内の全ゾーンランプ１９…１９の点灯・非点灯も一斉に管理する。作業者Ａは、個数表示器２０の表示を参照して物品の仕分けを行い、完了ボタン２０ｂを押す（ステップＳ３６）。表示コントローラ１４は、完了ボタン２０ｂの押下操作信号を受信すると、物品の表示及び受注個数の表示を消去した後、代わりに仕分け作業が終了したことを示す「Ｅｎｄ」（仕分け作業終了情報）を表示部２０ａに表示する（図６参照）。
【００６２】
このようにして、作業者Ａは、個数表示器２０に仕分け情報が表示された全ての仕分け棚１で仕分けを行い、合体ブロック（ｉｉ）内で全ての仕分け作業が済むと、合体ブロック（ｉｉ）の最後の出口ボタン１８を操作して合体ブロック（ｉｉ）から退出し、次のブロックへ進む（ステップＳ３７）。合体ブロック（ｉｉ）の各表示コントローラ１４…１４は、最後の出口ボタン１８の操作信号を受信すると、合体ブロック（ｉｉ）内の全ての「Ｅｎｄ」表示を一斉に消去し（併せて合体ブロック（ｉｉ）内の全てのゾーンランプ１９…１９を一斉に消灯し）、次の作業者Ａの名前を入口表示器１５…１５及び出口表示器１６…１６に一斉に表示する（ステップＳ３８，Ｓ３３）。
【００６３】
このような第３モードで得られる作用を図１７〜図１９を参照して説明する。まず、図１７は、仕分け作業が全ブロックＢ１〜Ｂ４で有る場合である。この第３モードでは、４つのブロックＢ１〜Ｂ４のうちの任意の複数のブロックがまとめられて１つの合体ブロック（ｉｉ）として取り扱われ、また、合体ブロック（ｉｉ）において、最初の入口ボタン１７及び最後出口ボタン１８のみが機能し、合体ブロック（ｉｉ）を単位として、入口表示器１５…１５、出口表示器１６…１６、ゾーンランプ１９…１９及び個数表示器２０…２０の動作が一斉に管理される。具体的には、合体ブロック（ｉｉ）の全個数表示器２０…２０は、合体ブロック（ｉｉ）の最初の入口ボタン１７が操作された段階で（ステップＳ３４）、仕分け情報を一斉に表示する（ステップＳ３５）。また、合体ブロック（ｉｉ）の最後の出口ボタン１８が操作された段階で（ステップＳ３７）、仕分け作業終了情報を一斉に消去する（ステップＳ３８）。したがって、作業者Ａは、合体ブロック（ｉｉ）の入口ボタン１７…１７及び出口ボタン１８…１８を１つ１つ操作する必要が無くなる。しかし、合体ブロック（ｉｉ）の最初の入口ボタン１７が第１ブロックＢ１の入口ボタン１７であり、合体ブロック（ｉｉ）の最後の出口ボタン１８が第３ブロックＢ３の出口ボタン１８であって、かつ、仕分け作業が全ブロックＢ１〜Ｂ４で有るから、作業者Ａは、結局、全ブロックＢ１〜Ｂ４を第１ブロックＢ１から第４ブロックＢ４の順に巡り歩くことになり、作業者Ａの動線は、第１モードのときと比べてそれほど短くならない。
【００６４】
一方、図１８は、仕分け作業が無いブロックが有る場合である。作業者Ａは、合体ブロック（ｉｉ）の入口ボタン１７…１７及び出口ボタン１８…１８を１つ１つ操作する必要が無くなる。かつ、合体ブロック（ｉｉ）内の該当する全てのゾーンランプ１９…１９及び該当する全ての個数表示器２０…２０がすでに作動しており、合体ブロック（ｉｉ）内のどのブロックＢ１〜Ｂ３で仕分け作業が有るのか無いのかが判明している。よって、作業者Ａは、図例の場合、合体ブロック（ｉｉ）に属する第１ブロックＢ１を通過した後、すぐに第３ブロックＢ３の出口ボタン１８を押し、その後合体ブロック（ｉｉ）から出て第４ブロックＢ４に進入すればよく、合体ブロック（ｉｉ）の第２ブロックＢ２及び第３ブロックＢ３を通過せずに済む。その結果、作業者Ａの動線が短縮され、時間の浪費が無くなって、作業効率が向上する。
【００６５】
また、図１９は、仕分け作業が入口近辺のみに有るブロックが有る場合である。同様に、作業者Ａは、合体ブロック（ｉｉ）の入口ボタン１７…１７及び出口ボタン１８…１８を１つ１つ操作する必要が無くなる。また、合体ブロック（ｉｉ）内の該当する全てのゾーンランプ１９…１９及び該当する全ての個数表示器２０…２０がすでに作動しており、合体ブロック（ｉｉ）内のどのブロックＢ１〜Ｂ３で仕分け作業が有るのか無いのかが判明している。よって、作業者Ａは、図例の場合、合体ブロック（ｉｉ）に属する第１ブロックＢ１を通過した後、第２ブロックＢ２の入口近辺のみに立ち寄り、その後すぐに第３ブロックＢ３の出口ボタン１８を押した後、合体ブロック（ｉｉ）から出て第４ブロックＢ４に進入すればよく、合体ブロック（ｉｉ）の第２ブロックＢ２及び第３ブロックＢ３を通過せずに済む。その結果、作業者Ａの動線が短縮され、時間の浪費が無くなって、作業効率が向上する。
【００６６】
以上のことから、第３モードは、仕分け作業が無いブロックが有る場合や、仕分け作業が入口近辺のみに有るブロックが有る場合に切り替えることが好ましく、仕分け作業が全ブロックＢ１〜Ｂ４で有る場合には、第３モードはあまり有効ではないといえる。
【００６７】
以上のように、本実施形態に係る仕分システム（ソーティングシステム）では、多数の仕分け棚１…１のそれぞれに仕分け個数を表示する個数表示器２０…２０が備えられ、１群の仕分け棚１…１により１つのブロックＢ１，Ｂ２，Ｂ３又はＢ４が構成され、複数のブロックＢ１〜Ｂ４のそれぞれに入口ボタン１７…１７が備えられている（図１、図２参照）。そして、複数のブロックＢ１〜Ｂ４の各ブロックをそれぞれ１つのブロックとして扱う第１モードと、全ブロックＢ１〜Ｂ４をまとめて１つのブロック（単一ブロックｉ）として扱う第２モードとを切り替える操作卓１３が備えられている（図７参照）。そして、この操作卓１３により、第１モードに切り替えられたときは（図８参照）、各ブロックＢ１〜Ｂ４について入口ボタン１７が操作されたときに（ステップＳ１４）、そのブロックに属する個数表示器２０…２０の表示を開始させ（ステップＳ１５）、一方、第２モードに切り替えられたときには（図１２参照）、仕分け作業の準備段階の操作卓１３の操作時に（ステップＳ２１）、全個数表示器２０…２０の表示を開始させる（ステップＳ２４）表示コントローラ１４が備えられている。したがって、第１モードに切り替えたときは、複数のブロックＢ１〜Ｂ４の各ブロック毎に入口ボタン１７…１７を操作して、そのブロックの個数表示器２０…２０に仕分け個数を表示させることになるが、第２モードに切り替えたときには、仕分け作業を始める前の準備段階において操作卓１３を操作するだけで、全ブロックＢ１〜Ｂ４の全個数表示器２０…２０に仕分け個数を表示させることが可能となる。その結果、作業者Ａは、個数表示器２０…２０に仕分け個数を表示させるために入口ボタン１７を操作する必要が無くなり、まずこの点で作業効率の向上が図られる。
【００６８】
そのうえで、第２モードに切り替えたときに、全ブロックＢ１〜Ｂ４の中に仕分け作業が無いブロックが有れば（図１４参照）、そのブロックに属する個数表示器２０…２０には仕分け個数が表示されないから、仕分け作業の準備段階において操作卓１３を操作した段階で、仕分け作業が無いブロックか否かが判明し、作業者Ａは、１つ１つブロックＢ１〜Ｂ４の入口ボタン１７…１７を操作するためだけに無駄に遠方まで移動する必要が無くなる。その結果、作業者Ａは、仕分け作業の有るブロックだけを最短距離で通過して戻ってくることができ、作業者Ａの動線が徒に長くならず、無駄な時間が費やされず、作業効率の向上が図られることとなる。
【００６９】
また、第２モードに切り替えたときに、全ブロックＢ１〜Ｂ４の中に仕分け作業が入口近辺のみに有るブロックが有れば（図１５参照）、そのブロックに属する入口近辺の個数表示器２０…２０のみに仕分け個数が表示されるから、仕分け作業の準備段階において操作卓１３を操作した段階で、仕分け作業が入口近辺のみに有るブロックか否かが判明し、作業者Ａは、入口近辺で仕分け作業を行った後、次のブロックの入口ボタン１７を操作するためだけに無駄に遠方まで移動する必要が無くなる。その結果、作業者Ａは、仕分け作業が有るブロックの入口近辺のみに立ち寄ってすぐ戻ってくることができ、この場合も、やはり作業者Ａの動線が徒に長くならず、無駄な時間が費やされず、作業効率の向上が図られることとなる。
【００７０】
さらに、前記入口ボタン１７…１７に加えて、複数のブロックＢ１〜Ｂ４のそれぞれに出口ボタン１８…１８が備えられている（図１、図２参照）。そして、操作卓１３により、第１モードに切り替えられたときは（図８参照）、各ブロックＢ１〜Ｂ４について出口ボタン１８が操作されたときに（ステップＳ１７）、そのブロックに属する個数表示器２０…２０の表示を終了させ（ステップＳ１８）、一方、第２モードに切り替えられたときには（図１２参照）、最後の仕分け作業が完了したときに（ステップＳ２６）、全個数表示器２０…２０の表示を終了させる（ステップＳ２８）表示コントローラ１４が備えられている。したがって、第１モードに切り替えたときは、複数のブロックＢ１〜Ｂ４の各ブロック毎に出口ボタン１８…１８を操作して、そのブロックの個数表示器２０…２０の個数表示を消去させることになるが、第２モードに切り替えたときには、最後の仕分け作業を完了させるだけで、全ブロックＢ１〜Ｂ４の全個数表示器２０…２０の個数表示を消去させることが可能となる。その結果、作業者Ａは、個数表示器２０…２０の個数表示を消去させるために出口ボタン１８を操作する必要が無くなり、まずこの点で作業効率の向上が図られる。
【００７１】
そのうえで、第２モードに切り替えたときに、全ブロックＢ１〜Ｂ４の中に仕分け作業が無いブロックが有れば（図１４参照）、また仕分け作業が入口近辺のみに有るブロックが有れば（図１５参照）、作業者Ａは、それらのブロックの出口ボタン１８…１８を操作するためだけに無駄に遠方まで移動する必要が無くなり、作業者Ａの動線が徒に長くならず、無駄な時間が費やされず、作業効率の向上が図られることとなる。
【００７２】
さらに、前記操作卓１３が切り替えるモードとして、全ブロックＢ１〜Ｂ４のうちの複数のブロックをまとめて１つのブロック（合体ブロックｉｉ）として扱う第３モードが追加されている（図７参照）。そして、この操作卓１３により、第３モードに切り替えられたときは（図１６）、複数のブロックについて最初のブロックの入口ボタン１７が操作されたときに（ステップＳ３４）、その複数のブロックに属する全ての個数表示器２０…２０の表示を開始させるようにしたから（ステップＳ３５）、第３モードに切り替えたときには、いちいち各ブロック毎に入口ボタン１７…１７を操作しなくても、複数のブロックのうちの最初のブロックの入口ボタン１７を操作するだけで、その複数のブロックの全個数表示器２０…２０に仕分け個数を表示させることが可能となる。
【００７３】
そのうえで、第３モードに切り替えたときに、複数のブロックの中に仕分け作業が無いブロックが有れば（図１８参照）、そのブロックに属する個数表示器２０…２０には仕分け個数が表示されないから、最初のブロックの入口ボタン１７を操作した段階で、仕分け作業が無いブロックか否かが判明し、作業者Ａは、１つ１つブロックの入口ボタン１７…１７を操作するためだけに無駄に遠方まで移動する必要が無くなる。その結果、作業者Ａは、仕分け作業の有るブロックだけを最短距離で通過して戻ってくることができ、作業者Ａの動線が徒に長くならず、無駄な時間が費やされず、作業効率の向上が図られることとなる。
【００７４】
また、第３モードに切り替えたときに、複数のブロックの中に仕分け作業が入口近辺のみに有るブロックが有れば（図１９参照）、そのブロックに属する入口近辺の個数表示器２０…２０のみに仕分け個数が表示されるから、最初のブロックの入口ボタン１７を操作した段階で、仕分け作業が入口近辺のみに有るブロックか否かが判明し、作業者Ａは、入口近辺で仕分け作業を行った後、次のブロックの入口ボタン１７を操作するためだけに無駄に遠方まで移動する必要が無くなる。その結果、作業者Ａは、仕分け作業が有るブロックの入口近辺のみに立ち寄ってすぐ戻ってくることができ、この場合も、やはり作業者Ａの動線が徒に長くならず、無駄な時間が費やされず、作業効率の向上が図られることとなる。
【００７５】
さらに、第３モードに切り替えられたときは、複数のブロックについて最後のブロックの出口ボタンが操作されたときに（ステップＳ３６）、その複数のブロックに属する全ての個数表示器２０…２０の表示を終了させるようにしたから（ステップＳ３８）、第３モードに切り替えたときには、いちいち各ブロック毎に出口ボタン１８…１８を操作しなくても、複数のブロックのうちの最後のブロックの出口ボタン１８を操作するだけで、その複数のブロックの全個数表示器２０…２０の個数表示を消去させることが可能となる。したがって、複数のブロックの中に仕分け作業が無いブロックが有れば（図１８参照）、また仕分け作業が入口近辺のみに有るブロックが有れば（図１９参照）、作業者Ａは、それらのブロックの出口ボタン１８を操作するためだけに無駄に遠方まで移動する必要が無くなり、より一層の作業効率の向上が図られることとなる。
【００７６】
その場合に、前記操作卓１３は、第３モードのときは、図１８に例示したように、仕分け作業が無いブロックを含めて複数のブロックを合体ブロック（ｉｉ）として扱うことが好ましい。合体ブロック（ｉｉ）の中に仕分け作業が無いブロックが有る場合の前述の効果が確実に得られるからである。
【００７７】
また、前記操作卓１３は、第３モードのときは、図１９に例示したように、仕分け作業が入口近辺のみに有るブロックを含めて複数のブロックを１つのブロックとして扱うことが好ましい。合体ブロック（ｉｉ）の中に仕分け作業が入口近辺のみに有るブロックが有る場合の前述の効果が確実に得られるからである。
【００７８】
さらに、ブロックＢ１〜Ｂ４内で仕分け作業が有ることを報知するゾーンランプ２０を各ブロックに備えたから、作業者Ａは、ブロックＢ１〜Ｂ４の個数表示器２０…２０に仕分け個数が表示されているか否かを１つ１つ確認することなく、このゾーンランプ２０によって、仕分け作業が有るブロックを瞬時に確実・容易に判別することができる。
【００７９】
なお、図２０に、作業現場のレイアウトが異なる仕分けシステムの（ａ）第１モード、（ｂ）第２モード、及び（ｃ）第３モードでの具体的動作の作用を例示した。この仕分けシステムは、第１ブロックＢ１〜第４ブロックＢ４がこの順に直線状にレイアウトされている。そして、いずれの場合も、手前の第１ブロックＢ１と第２ブロックＢ２とで仕分け作業が有り（図中（〇）印を付す）、奥の方の第３ブロックＢ３と第４ブロックＢ４とで仕分け作業が無い（図中（×）印を付す）例を示している。この場合、（ａ）の第１モードでは、作業者Ａは、結果的に、全てのブロックＢ１〜Ｂ４を無駄に通過することになり、非効率的であることが判る。一方、（ｂ）の第２モードでは、作業者Ａは、手前の第１ブロックＢ１及び第２ブロックＢ２のみ通過して引き返せばよく、奥の方の第３ブロックＢ３及び第４ブロックＢ４を通過せずに済んで、効率的であることが判る。そして、（ｃ）の第３モードでは、作業者Ａは、第３モードの出口ボタン１８及び第４モードの入口ボタン１７を操作しなくてもよいが、結果的に、全てのブロックＢ１〜Ｂ４を通過することになり、作業者Ａの動線は短くならないことが判る。
【００８０】
次に、図２１及び図２３のフローチャートを参照して、本実施形態に係る仕分けシステムの他の特徴的動作（最終ブロック報知動作）について説明する。すなわち、このフローチャートにおいては、操作卓１３が、仕分け作業が有る最後のブロックを検出し、表示コントローラ１４が、この操作卓１３により検出されたブロックより以降のブロックには仕分け作業が無いことを報知するようになっている。その場合に、表示コントローラ１４は、操作卓１３により検出されたブロック内で最後の仕分け作業が完了したときに、このブロックより以降のブロックには仕分け作業が無いことを報知するようになっている。また、その場合に、表示コントローラ１４は、前記個数表示器２０…２０の表示態様の変更及び音声の発生の少なくともいずれかにより、このブロックより以降のブロックには仕分け作業が無いことを報知するようになっている。したがって、全ブロックＢ１〜Ｂ４を単一ブロック（ｉ）とする第２モードではこの動作は実行されない。
【００８１】
図２１は、第１モードの場合であり、ステップＳ４１〜Ｓ４６は、図８のステップＳ１１〜Ｓ１６と同様であるので、ここではその説明は省略する。ステップＳ４６の後、ステップＳ４７で、各表示コントローラ１４…１４は、全ての仕分け棚１…１で仕分けが完了し、このブロックより以降のブロックには仕分け作業が無いときは（操作卓１３が判断する）、最後の完了ボタン２０ｂが押されたときに、全ての個数表示器２０…２０を一斉に点滅表示する（それまでは個数表示器２０…２０の表示は点灯表示であった）。
【００８２】
一方、作業者Ａは、ステップＳ４８で、全ての仕分け棚１…１で仕分けが完了すれば、出口ボタン１８を押して次のブロックに進む。または、作業者Ａは、全ての個数表示器２０…２０が一斉に点滅表示しているときは、出口ボタン１８を押してそのまま帰還する。そして、各表示コントローラ１４…１４は、ステップＳ４９で、個数表示器２０…２０の「Ｅｎｄ」表示を全て消し、入口表示器１５及び出口表示器１６に次の作業者Ａを表示する。
【００８３】
このような第１モードで得られる作用を図２２を参照して説明する。この図例では、第１ブロックＢ１〜第６ブロックＢ６がこの順にＵ字状にレイアウトされている。そして、第１ブロックＢ１〜第４ブロックＢ４で仕分け作業が有り（図中（〇）印を付す）、第５ブロックＢ５と第６ブロックＢ６とで仕分け作業が無い（図中（×）印を付す）例を示している。作業者Ａは、表示コントローラ１４による個数表示器２０…２０の制御（ステップＳ４７）によって、仕分け作業が有る最後の第４ブロックＢ４において、この第４ブロックＢ４が仕分け作業が有る最後のブロックであることが判り、仕分け作業が無い第５ブロックＢ５及び第６ブロックＢ６に無駄に移動することが回避される。その結果、作業者Ａは、仕分け作業が無い第５ブロックＢ５及び第６ブロックＢ６を無駄に通過することなく、最短距離で速やかに戻ってくることができ、これによっても、作業者Ａの動線が徒に長くならず、無駄な時間が費やされず、作業効率の向上が図られることとなる。
【００８４】
次に、図２３は、第３モードの場合であり、ステップＳ５１〜Ｓ５６は、図１６のステップＳ３１〜Ｓ３６と同様であるので、ここではその説明は省略する。ステップＳ５６の後、ステップＳ５７で、合体ブロック（ｉｉ）の表示コントローラ１４…１４は、全ての仕分け棚１…１で仕分けが完了し、この合体ブロック（ｉｉ）より以降のブロックには仕分け作業が無いときは（操作卓１３が判断する）、最後の完了ボタン２０ｂが押されたときに、全ての個数表示器２０…２０を一斉に点滅表示する（それまでは個数表示器２０…２０の表示は点灯表示であった）。
【００８５】
一方、作業者Ａは、ステップＳ５８で、全ての仕分け棚１…１で仕分けが完了すれば、合体ブロック（ｉｉ）の最後の出口ボタン１８を押して次のブロックに進む。または、作業者Ａは、全ての個数表示器２０…２０が一斉に点滅表示しているときは、合体ブロック（ｉｉ）の最後の出口ボタン１８を押してそのまま帰還する。そして、合体ブロック（ｉｉ）の表示コントローラ１４…１４は、ステップＳ５９で、個数表示器２０…２０の「Ｅｎｄ」表示を全て消し、入口表示器１５及び出口表示器１６に次の作業者Ａを一斉に表示する。
【００８６】
このような第３モードで得られる作用を図２４を参照して説明する。この図例では、第１ブロックＢ１〜第６ブロックＢ６がこの順にＵ字状にレイアウトされている。そして、第１ブロックＢ１〜第４ブロックＢ４で仕分け作業が有り（図中（〇）印を付す）、第５ブロックＢ５と第６ブロックＢ６とで仕分け作業が無い（図中（×）印を付す）例を示している。そして、仕分け作業が有る第１ブロックＢ１〜第４ブロックＢ４が合体ブロック（ｉｉ）とされている。作業者Ａは、表示コントローラ１４による個数表示器２０…２０の制御（ステップＳ５７）によって、仕分け作業が有る合体ブロック（ｉｉ）において、この合体ブロック（ｉｉ）が仕分け作業が有る最後のブロックであることが判り、仕分け作業が無い第５ブロックＢ５及び第６ブロックＢ６に無駄に移動することが回避される。その結果、作業者Ａは、仕分け作業が無い第５ブロックＢ５及び第６ブロックＢ６を無駄に通過することなく、最短距離で速やかに戻ってくることができ、これによっても、作業者Ａの動線が徒に長くならず、無駄な時間が費やされず、作業効率の向上が図られることとなる。
【００８７】
そして、いずれにおいても、仕分け作業が有る最後のブロック内で最後の仕分け作業が完了したときに、このブロックより以降のブロックには仕分け作業が無いことが報知される（ステップＳ４７，Ｓ５７）から、作業者Ａは、ブロック内での最後の仕分け作業の完了と同時に、適正なタイミングで、このブロックより以降のブロックには仕分け作業が無いこと、すなわちこのブロックが仕分け作業が有る最後のブロックであることを認識することができる。
【００８８】
また、いずれにおいても、このブロックより以降のブロックには仕分け作業が無いことの報知を、個数表示器２０の表示態様の変更により行うようにしたので（ステップＳ４７，Ｓ５７）、作業者Ａは、確実・容易に、このブロックが仕分け作業が有る最後のブロックであることを認識することができる（この場合は表示コントローラ１４が特許請求の範囲でいう「仕分け無し報知手段」になる）。また、このブロックより以降のブロックには仕分け作業が無いことの報知を、これ以外に、音声の発生や、個数表示器２０の表示態様の変更と音声の発生との組合せ等により行うようにしてもよい（この場合は音声発生装置も特許請求の範囲でいう「仕分け無し報知手段」になる）。
【００８９】
なお、以上説明した実施形態は、本発明の最良の実施形態ではあるが、特許請求の範囲を逸脱しない限り、なお種々の修正や改良が可能であることはいうまでもない。例えば、仕分けシステムの作業現場のレイアウトや、各ブロックにおける仕分け作業の有無は一例に過ぎない。また、前記実施形態では、仕分けシステムはソーティングシステムであったが、本発明はピッキングシステムにも適用可能である。その場合、仕分け棚１は物品保管場所に変更される。
【産業上の利用可能性】
【００９０】
以上、具体例を挙げて詳しく説明したように、本発明によれば、作業者が仕分け作業の無いブロックを無駄に通過することが回避され、作業者の動線が短くなって、作業効率の向上が図られるので、本発明は、物流分野で用いられる仕分けシステムの技術分野において幅広い産業上の利用可能性が期待される。
【図面の簡単な説明】
【００９１】
【図１】本発明の最良の実施の形態に係る仕分けシステムの作業現場のレイアウトを示す平面図である。
【図２】前記仕分けシステムの第１ブロックの側面図である。
【図３】前記仕分けシステムの機器間のネットワーク図である。
【図４】前記仕分けシステムの個数表示器の正面図である。
【図５】前記個数表示器の仕分け情報の表示例を示す正面図である。
【図６】前記個数表示器の仕分け作業終了情報の表示例を示す正面図である。
【図７】前記仕分けシステムの操作卓のディスプレイのモード切替画面の表示例を示す正面図である。
【図８】前記仕分けシステムの第１モードでの具体的動作の１例を示すフローチャートである。
【図９】前記第１モードでの具体的動作の作用を説明するための図１に類似の平面図である。
【図１０】同じく別の作用を説明するための図１に類似の平面図である。
【図１１】同じくさらに別の作用を説明するための図１に類似の平面図である。
【図１２】前記仕分けシステムの第２モードでの具体的動作の１例を示すフローチャートである。
【図１３】前記第２モードでの具体的動作の作用を説明するための図１に類似の平面図である。
【図１４】同じく別の作用を説明するための図１に類似の平面図である。
【図１５】同じくさらに別の作用を説明するための図１に類似の平面図である。
【図１６】前記仕分けシステムの第３モードでの具体的動作の１例を示すフローチャートである。
【図１７】前記第３モードでの具体的動作の作用を説明するための図１に類似の平面図である。
【図１８】同じく別の作用を説明するための図１に類似の平面図である。
【図１９】同じくさらに別の作用を説明するための図１に類似の平面図である。
【図２０】作業現場のレイアウトが異なる本発明の最良の実施の形態に係る仕分けシステムの（ａ）第１モード、（ｂ）第２モード、及び（ｃ）第３モードでの具体的動作の作用を説明するための平面図である。
【図２１】本発明の最良の実施の形態に係る仕分けシステムの第１モードでの他の特徴的動作の１例を示すフローチャートである。
【図２２】前記第１モードでの他の特徴的動作の作用を説明するための平面図である。
【図２３】同じく第３モードでの他の特徴的動作の１例を示すフローチャートである。
【図２４】前記第３モードでの他の特徴的動作の作用を説明するための平面図である。
【図２５】ブロックを管理単位とした従来の仕分けシステムの代表的動作を説明するための平面図である。
【符号の説明】
【００９２】
１          仕分け棚（仕分け場所）
２          台車
１１        仕分けコンピュータ
１２        中継器
１３        操作卓（切替手段、最終ブロック検出手段）
１３ａ      ディスプレイ
１４        表示コントローラ（表示制御手段、仕分け無し報知手段）
１５        入口表示器
１６        出口表示器
１７        入口ボタン（入口操作部材）
１８        出口ボタン（出口操作部材）
１９        ゾーンランプ（仕分け有り報知手段）
２０        個数表示器
２０ｂ      完了ボタン（完了操作部材）
３０        情報通信ネットワーク
ｉ          第２モードの単一ブロック
ｉｉ        第３モードの合体ブロック
Ａ          作業者
Ｂ１〜Ｂ４  第１モードの第１〜第４ブロック
Ｚ１〜Ｚ８  第１〜第８ゾーン
【図１】
2008024378.tif 000003
【図２】
2008024378.tif 000004
【図３】
2008024378.tif 000005
【図４】
2008024378.tif 000006
【図５】
2008024378.tif 000007
【図６】
2008024378.tif 000008
【図７】
2008024378.tif 000009
【図８】
2008024378.tif 000010
【図９】
2008024378.tif 000011
【図１０】
2008024378.tif 000012
【図１１】
2008024378.tif 000013
【図１２】
2008024378.tif 000014
【図１３】
2008024378.tif 000015
【図１４】
2008024378.tif 000016
【図１５】
2008024378.tif 000017
【図１６】
2008024378.tif 000018
【図１７】
2008024378.tif 000019
【図１８】
2008024378.tif 000020
【図１９】
2008024378.tif 000021
【図２０】
2008024378.tif 000022
【図２１】
2008024378.tif 000023
【図２２】
2008024378.tif 000024
【図２３】
2008024378.tif 000025
【図２４】
2008024378.tif 000026
【図２５】
2008024378.tif 000027